(57)【要約】【課題】  他の測定と比較して被験者の個人差が大きい排尿行為を測定対象とする測定の測定結果出力において、グラフ出力の無駄部分を削減することにより、診療作業の効率化を図ることを可能とする。  【解決手段】  本発明では、排泄情報記録出力手段はグラフの描画内容を作成する描画出力作成手段を備え、前記描画出力作成手段は、計測終了後、記憶された排泄情報に基づいて前記描画内容を作成することを特徴とすることにより、出力される排泄情報記録に含まれるグラフが測定結果の有効部分飲みの内容となるため、診療作業の効率の適正化が可能となる。【選択図】  図１
2010075455.tif 000002
【特許請求の範囲】
【請求項１】
被験者の排泄物を受けるボウルを備えた洋式便器と、
前記被験者の排泄行為において時間の経過と共に変化する前記排泄物の排泄状態量を計測する排泄状態量計測手段と、
前記被験者が前記排泄状態量計測手段に対して計測の開始を指示する計測開始指示手段と、
前記計測開始指示手段からの計測開始信号を受けた時を起点とした経過時間を計測時刻として記録する計測時刻記録手段と、
一軸を前記計測時刻に対応した長さで前記排泄状態量の計測結果を描画したグラフを排泄情報記録として出力する排泄情報記録出力手段と、
を有する排泄情報測定装置において、
前記グラフの描画内容を作成する描画出力作成手段を備え、
前記描画出力作成手段は、計測された前記排泄状態量が計測を開始して初めて所定の値以上となった時刻である第一の時刻から、同じく最後に前記所定の値以下となった時刻である第二の時刻までを排尿時刻範囲とし、
前記排尿時刻範囲の前後に少なくとも予め決められた所定長さの余白時間を付加した時刻範囲を前記グラフの所定描画時刻範囲として前記描画内容を作成することを特徴とする排泄情報測定装置。
【請求項２】
さらに前記洋式便器に着座したことを検知する着座検知手段を備え、
前記着座検知手段が着座を検知した時刻を着座時刻として、
前記着座時刻が前記第一の時刻より後である場合、
前記描画出力作成手段は前記描画内容を、
前記グラフに前記着座時刻を表示した内容とすることを特徴とする請求項１記載の排泄情報測定装置。
【請求項３】
さらに前記洋式便器に着座したことを検知する着座検知手段を備え、前記着座検知手段が着座を検知した時刻を着座時刻として、
前記着座時刻が前記第一の時刻より前で、かつ、前記着座時刻から前記第一の時刻までの時間が前記余白時間より長い場合、
前記描画出力作成手段は、着座時刻前記排尿時刻範囲の前に設定する前記余白時間を前記着座時刻から前記第一の時刻までの時間として、前記グラフの前記所定描画時刻範囲の開始時刻を前記着座時刻とした描画内容とすることを特徴とする請求項１記載の排泄情報測定装置。
【請求項４】
前記余白時間の設定値を変更するための余白時間変更手段を有する
ことを特徴とする請求項１乃至３のいずれか１項に記載の排泄情報測定装置。
【請求項５】
前記グラフの時刻情報として前記計測時刻を付記することを特徴とする請求項１乃至４のいずれか１項に記載の排泄情報測定装置。
【発明の詳細な説明】
【技術分野】
【０００１】
本発明は、被験者の排泄情報測定結果のうち、具体的な診断に活用できる部分だけを抽出して出力することに係り、特に操作方法に起因して出力される出力ロス部分を除外し、診療作業の効率化を図ることに好適な排泄情報測定装置の出力方法に関する発明である。
【背景技術】
【０００２】
一般にヒトの便器を使用する排泄行為としては、大便や小便の排泄がある。そして、これら排泄行為の状態に関係する排泄状態情報としては、大便や小便の量や速度といった排泄物自体に関する情報だけでなく排泄姿勢や排便ガス等に代表される排泄関連情報に関する情報も考えられることから、排泄情報測定装置の測定対象には量や速度といった物理量だけでなく排泄姿勢における立位や座位といった物理量でないものもある。ところが、この被験者の排泄状態には個人差が大きく、そのためこれらの測定対象項目の時間経過に対応した変化状態は、排泄行為の測定においては排泄状態を評価する際の重要なパラメータのひとつとして考えられている。
【０００３】
したがって、従来の排泄情報測定装置には、トイレに設けた便器で時間の経過共に変化する被験者の排尿量を計測することによって、尿量やその時間的変化量として尿流率を求めるだけでなく着座の有無による排尿姿勢の判断等も行うものもある（例えば、特許文献１参照）。
【０００４】
この装置では被験者の排尿状態に関係する情報を排泄情報として一軸を時間軸にしてグラフ化して出力している。これは、前述した通り、測定対象項目の時間経過に対応した変化状態は、被験者の病態を判断するためには重要な要素であるが、その判断に際して、時間経過に伴う連続した変化が一見して判断可能な情報形態として、時間を軸とした出力形態であるグラフが医療関係者にとって歓迎されるためである。
【０００５】
しかし、排泄行為のひとつであるトイレでの排尿行為を測定対象としたこの例では、測定の開始と終了の操作を被験者が自ら行うことを想定したものであるが、前述したように排尿行為の個人差が大きいことや、さらには、被験者の認知能力状態によっては測定開始操作を医療関係者が介助して実施する場合もあることなどにより、測定開始操作から排尿開始するまでの所要時間が被験者毎に大きな違いが発生することが多い。そのため、このように常に一定の固定された出力形式では、出力されるグラフにこの被験者の違いに起因して、場合によっては、排尿状態量が計測されていない部分が長大に表示されてしまい、医療関係者は出力情報の中から診断に使用する部分を探すのに時間がかかり、診療作業の効率が低下するという問題があった。
【特許文献１】特開２００６−０９４９０４号公報
【発明の開示】
【発明が解決しようとする課題】
【０００６】
本発明は、上記問題を解決するためになされたもので、本発明の課題は、他の測定と比較して被験者の個人差が大きい排尿行為を測定対象とする測定の記録出力において、出力の無駄部分を削減し、診療作業の効率化を図ることである。
【課題を解決するための手段】
【０００７】
上記目的を達成するために請求項１記載の発明によれば、被験者の排泄物を受けるボウルを備えた洋式便器と、
前記被験者の排泄行為において時間の経過と共に変化する前記排泄物の排泄状態量を計測する排泄状態量計測手段と、
前記被験者が前記排泄状態量計測手段に対して計測の開始を指示する計測開始指示手段と、
前記計測開始指示手段からの計測開始信号を受けた時を起点とした経過時間を計測時刻として記録する計測時刻記録手段と、
一軸を前記計測時刻に対応した長さで前記排泄状態量の計測結果を描画したグラフを排泄情報記録として出力する排泄情報記録出力手段と、
を有する排泄情報測定装置において、
前記グラフの描画内容を作成する描画出力作成手段を備え、
前記描画出力作成手段は、計測された前記排泄状態量が計測を開始して初めて所定の値以上となった時刻である第一の時刻から、同じく最後に前記所定の値以下となった時刻である第二の時刻までを排尿時刻範囲とし、
前記排尿時刻範囲の前後に少なくとも予め決められた所定長さの余白時間を付加した時刻範囲を前記グラフの所定描画時刻範囲として前記描画内容を作成することを特徴とすることにより、
出力される排泄情報記録に含まれるグラフが、被験者の排尿行為の個人差や使用方法によって発生する病態を示さない部分を吸収除去した内容となるため、この排泄情報記録に基づいた診療作業の効率の適正化が可能となる。
【０００８】
また、請求項２記載の発明のよれば、さらに前記洋式便器に着座したことを検知する着座検知手段を備え、前記着座検知手段が着座を検知した時刻を着座時刻として、前記着座時刻が前記第一の時刻より後である場合、前記描画出力作成手段は前記描画内容を、前記グラフに前記着座時刻を表示した内容とすることを特徴とすることにより、
着座の有無によって少なくとも便座に着座した座位か、あるいは着座しない立位か、排泄状態の評価に重要な影響を及ぼす排泄姿勢を加味することが出来るため、より正確な診療作業を行うことが可能となる。
【０００９】
また、請求項３記載の発明のよれば、さらに前記洋式便器に着座したことを検知する着座検知手段を備え、前記着座検知手段が着座を検知した時刻を着座時刻として、前記着座時刻が前記第一の時刻より前で、かつ、前記着座時刻から前記第一の時刻までの時間が前記余白時間より長い場合、前記描画出力作成手段は、着座時刻前記排尿時刻範囲の前に設定する前記余白時間を前記着座時刻から前記第一の時刻までの時間として、前記グラフの前記所定描画時刻範囲の開始時刻を前記着座時刻とした描画内容とすることを特徴とすることにより、
出力用紙の無駄を省きながら、必ず病態の判断に重要な要素となる着座してから排尿開始間での時間経過が目視で直感的に判るため、より正確な病態の判断が可能となる。
【００１０】
また、請求項４記載の発明のよれば、前記余白時間の設定値を変更するための余白時間変更手段を有することを特徴とすることにより、
装置の設置環境に応じた設定が可能となることにより装置の適用範囲が広がり少ない品種で対応できることが可能となるため、商品としての物流管理が容易となる。
【００１１】
また、請求項５記載の発明のよれば、前記グラフの時刻情報として前記計測時刻を付記することを特徴とすることにより、
出力用紙を節約した状態でも測定対象である排尿行為の時間的進行状態が判り、それを測定項目として利用できるため、診療作業の品質が向上する。
【発明の効果】
【００１２】
本発明によれば、操作方法に起因して出力される出力ロス部分を除外し省資源化に資することだけでなく、測定結果出力情報の質を高めることが可能となり、診療作業の効率化を図ることという効果がある。
【発明を実施するための最良の形態】
【００１３】
図１は本発明を実施した排泄情報測定装置全体を示す斜視図である。本実施例では本発明における排泄情報として、被験者が排泄する尿の量である尿量や単位時間当たりの排泄速度である尿流率等の排尿情報を測定を行うものである。図１を使用して、本実施例における排泄情報測定装置の全体構成について以下に述べる。
【００１４】
本実施例における排泄情報測定装置１は、被験者が大小便などの排泄物を排泄する後述のボウル２０を有し便器洗浄機能などの通常の便器機能を備えた洋風大便器４と、洋風大便器４に一体的に組み込まれた衛生洗浄装置８と、被験者がボウル２０内に排泄した排泄物の量等の排泄情報の測定を行う排泄情報測定部５と、被験者が各種の動作を指示する操作を行なったり、得られた測定結果等を表示するために壁に設けられた操作・表示部７０とで構成されている。排泄情報測定部５は本実施例では洋風大便器４の後部に設置されたキャビネット１８の中に収納されている。
【００１５】
洋風大便器４は陶器製でありボウルの上部には樹脂製の便座１７１が回動自在に取り付けられている。本実施例では一般的に採用される便ふたを省略した事例を示しているが医療機関で使用される場合、便ふたを回動させる動作が身体に疾病を抱えている患者にとっては負担になるということに配慮したものである。また、患者の上半身を支えることを配慮した背もたれ１７２をキャビネット１８に設置している。
【００１６】
排泄情報測定部５には本実施例では、被験者の排尿によるボウル２０内に貯められた溜水の水位変化を計測する機構部等を備えた尿量計測機構部５０と、尿量計測機構部５０の動作制御や情報処理等を行う尿量計測制御部６０とを備えている。その他、必要に応じて尿中の特定成分濃度等を計測する尿成分測定部などを排泄情報測定部５として付加して、キャビネット１８の内部に収納しても良い。したがって、キャビネット１８の大きさ・形状は収納するものの占有体積により変更される。
【００１７】
操作・表示部７０は、排泄情報測定用のリモコン７２と、衛生洗浄装置操作用のリモコン７１とを備え、排泄情報測定結果等を出力するプリンター７３はキャビネット１８の上方に配置している。被験者の操作性・視認性を配慮した時に、操作・表示部７０と排泄情報測定用のリモコン７２は壁に取り付けることが推奨されるが、操作の動線を配慮し、プリンター７３も壁取り付けとすることも可能である。
【００１８】
リモコン７２は被験者がトレイに入室し、排泄情報を測定する時に操作するもので、測定開始を指示する測定開始スイッチと、測定の終了を指示する測定終了スイッチとが設置されている。さらに、リモコン７２には被験者の測定履歴などを個人別に登録するために必要な個人別スイッチや、個人情報を取得するために必要なＩＤカードやＩＤタグの読み込み手段等の個人認証手段、及び、装置外部との電子データのやり取りを行うための入出力装置等が設けられている。
【００１９】
測定結果は本実施例ではプリンター７３を使用してロール状の連続した紙に後述する各種の排尿情報を排泄情報として被験者に開示されるようになっている。本排泄情報測定装置１を医療機関に設置した場合は、複数の被験者データを看護師が所定の時刻にリモコン７２を操作して、プリンター７３からデータを取り出すことも考えられる。
【００２０】
施工時やメンテナンス実施時の装置の動作設定等の装置設定操作は、リモコン７１またはリモコン７２のスイッチに所定手順の操作を実施することで切替設定されるようになっている。方法としては、普段使われないスイッチであることからカバーを開いて操作スイッチを露出させたり、所定のスイッチを長時間押したりすることで複数の用途に１つのスイッチを使用するものである。施工時やメンテナンス実施時のみに実施される行為としては、本発明の示す出力体裁を医療機関の現場要望に合わせて調整する指標を入力したりする。
【００２１】
便器内の溜水は、排水ソケット１５を介して下水排水口１６に排出される。下水排水口１６は建物の建築作業によって構成されるものであるが、その位置精度は一般的に考えられる機械工作品よりも大きな公差が必要である。便器４の位置は下水排水口１６と一体になるため、下水排水口１６の位置ばらつきによって移動することになる。キャビネット１８は、前面の前板１８１と、左右に設けられた側板１８２と、天井部を覆う甲板１８３で構成されることになるが、便器位置がずれるということは、その位置に合わせて前板１８１と側板１８２と甲板１８３の大きさを変えなければならないことを示している。
【００２２】
本実施例では、特に全長が長く加工の難しい側板１８２の加工を省略する方法を示している。先ず、前板１８１の形状を固定寸法とし、便器４と一体化する。前板１８１は図示しないフレームと一体になっており、側板１８２と甲板１８３はフレームに取り付ける構成としている。側板１８２の奥行き方向寸法は、便器４に発生する前後方向の位置ズレに対して、その前方公差上限位置でも前板１８１が側板１８２の前方端よりはみ出さない寸法で形成されている。従って、側板１８２に対して、便器４と前板１８１が前後方向にずれるだけである。
【００２３】
側板１８２の前方端部（木口）には、Ｒ形状を有する軟質部材が設けられており、被験者の腕や肘が前方端部（木口）にあたってもけがをしないように配慮されている。医療機関で使用することを想定した場合、視覚に疾病を持っていたり、高齢になって視力の低下した被験者も想定される。そのような被験者の使用を想定した場合は、側板１８２の前方端部（木口）と面材を別の色、つまりコントラストのある黒と白を採用すると、便器４の位置を明確に判別することができるという利点も持っている。
【００２４】
図２は本発明を実施した実施例における排泄情報測定装置１の本発明に関係する構成を示すシステムブロック図である。したがって、排泄情報測定装置１を構成するものであっても本発明に直接関係しない構成については適宜省略している。図２を使用して、本発明における排泄情報測定装置１の構成について以下に述べる。
【００２５】
排泄情報測定装置１は前述したように大きくは便器部３と、排泄情報測定部５と、便器部３に一体的に組み込まれた衛生洗浄装置８と、操作・表示部７０と、に分かれている。このような分割構成にすることによって、使用現場における据付設置作業において、便器部３と排泄情報測定部５とを結ぶ給排水配管と信号経路の接続を行なって排泄情報測定装置１を完成させた後に、排泄情報測定装置１のシステムとしての動作確認を実施することができるようにしている。
【００２６】
便器部３は、排泄物を受けてこれを下水配管に搬送する通常の便器としての機能を備えた洋風大便器４と、排泄後に局部の洗浄等を行うための衛生洗浄装置８とで構成されている。
【００２７】
洋風大便器４は、被験者が排泄を行うボウル２０と、下水配管との連通を水封する溜水２３をボウル２０に貯留するためにボウル２０に連接されたトラップ１４と、ボウル２０への給水を行う便器給水手段３０とを備え、トラップ１４は排水ソケット１５を介してトイレ室内に設けられた下水配管に連通する下水配管口１６に接続されている。
【００２８】
外部の給水源から排泄情報測定装置１への給水は、装置給水手段１０から、リム給水手段３１と、ゼット給水手段３２とで構成され洋風大便器４のボウル２０に給水する便器給水手段３０と、排泄情報測定部５に備えられた溜水補水手段３３とに、分岐金具１１によって分岐された給水路で各々供給される。
【００２９】
排泄情報測定装置１では測定開始する前には溜水２３の水位を通常の便器とは異なる測定開始水位にセットする。すなわち、便器洗浄を行う場合に、リム吐水手段３２の給水によってボウル２０内面を洗浄した後、ゼット吐水口２２から大給水率でゼット給水手段３２が給水することにより、トラップ１４は満水水位となってサイホン現象が誘引され、溜水２３は排水ソケット１５を経て下水排水口１６に排出され、ボウル２０内は溜水２３がほぼ排出されてしまい空水位になる。その後、通常の便器と同様にリム給水手段３１からの給水によってボウル２０内に溜水２３が供給されるが、その際にリム給水手段３１からの給水は破封水位を越えた位置までしか行わず、その後は補水手段３３の動作によって給水が行われて、トラップ１４で形成される溢流水位よりも所定量だけ水位が低い測定開始水位を得るようになっている。
【００３０】
この測定開始水位創成を行う場合、補水手段３３からの給水は便器洗浄時より少ない給水率で水を供給することで、測定開始水位の再現性を高めている。本実施例では溜水２３の水面が波立つことを防止するために、ゼット吐水口２２から給水を行なっている。
【００３１】
便器制御部４０は便器給水手段３０の給水動作を制御し、排泄情報測定部５と連係動作をすることで、測定中に便器洗浄動作するような干渉動作を防止している。また、被験者の便座１７１への着座を検知する着座検出手段８１を備えて、排泄情報測定装置１の使用時の着座の有無を判断している。
【００３２】
排泄情報測定部５には本発明における排泄情報としての被験者の排泄による排尿量等の排尿情報を測定する尿量計測機構部５０と、尿量計測機構部５０の動作の制御や計測された情報を記憶・加工する尿量計測制御部６０とが備えられている。ここで前記排尿情報は時間の経過と共に変化するため、本発明における排泄状態量に相当する。尿量計測機構部５０は、溜水２３の水位変化を計測する溜水水位計測手段５１と、下水配管内の圧力変動によって溜水２３の水位が受ける影響量を計測する下水圧変動量測定手段５２と、測定開始時の溜水水位を正確に設定するための溜水補水手段５３とを備えている。
【００３３】
また尿量計測制御部６０は、計測開始からの経過時間を計測時刻として記録する計測時刻記録手段６１と、得られた各種計測情報を記憶する排尿情報記憶手段６２と、後述する測定結果出力手段７３によって出力されるグラフ等の描画出力内容を作成する描画出力作成手段６３と、溜水水位計測手段５１や計測時刻記録手段６１によって得られた計測情報に基づいて尿量等の測定情報の算出等を行なう排尿情報算出手段６４と、を備えている。
【００３４】
排尿情報算出手段６４はまた、計測時刻記録手段６１の計測時刻情報を取り込んでおり、算出結果に計測時刻情報を付加できるようになっている。
【００３５】
排尿情報算出手段６４で算出された排尿情報の計測結果は、前記着座検知情報と共に、排泄情報として排尿情報記憶手段６２に送られて記憶される。
【００３６】
描画出力作成手段６３は、まず記憶された前記排泄情報のうち排泄行為の中で時間の経過と共にその量が変化する、即ち、本発明における排泄状態量である排尿量に関する計測値の中で、所定の値以上の計測値を本発明における有効計測値とする。次に、その中で計測開始から最初に有効計測値となった時刻を本発明における第一の時刻として検出し、また同様にして、最後の有効計測値となった時刻を本発明における第二の時刻として検出して、両者の時刻範囲を有効計測時刻範囲と決定する。次に、予め設定された余白時間を前記有効計測時刻範囲の前後に付加して本発明における所定描画時刻範囲を決定し、後述する排泄情報記録出力手段７３が出力する予め決められた出力形式の排泄情報記録を作成する。この処理によって、後述するように計測結果である時間経過に伴う排尿量変化グラフの前後に適当な余白部分が付加されて出力されることとなる。
【００３７】
操作・表示部７０には各々測定開始スイッチ、測定終了スイッチを備えた計測開始指示手段７５と計測終了指示手段７６が設けられ、排泄情報測定部５に測定の開始と終了を伝達している。測定結果は描画出力作成手段６３で出力内容が作成されて排泄情報記録出力手段７３から出力される。本実施例では排泄情報記録出力手段７３として、連続したロール状の紙に測定結果を印刷する形式のプリンター７３を使用しているが、出力手段は表示パネルによる電気的な表示であったり、電子記憶媒体や院内ＬＡＮを介した電子出力であったりしても良い。
【００３８】
また、この描画出力作成手段６３が描画出力を作成する際に用いる後述する各種の余白時間の設定値を変更・入力する手段として、余白時間変更手段７８を備えている。この余白時間変更手段７８の操作によって、出力体裁を医療機関の現場要望に合わせて調整・変更されるようになっている。
【００３９】
なお、この操作が施工時や定期的な検定時にしか実施されないことを考慮して、この描画出力作成手段６３の構成は、操作・表示部７４に設けられたメンテナンスカバーを開いて所定のスイッチを露出させてから操作するものや、所定のスイッチを長時間押したりすることで１つのスイッチを所定値変更用の別スイッチとして複数の用途に使用するものであってもよい。
【００４０】
図３は本発明を実施した実施例における排泄情報測定装置を示すフローチャートである。図３を使用して、本実施例における排泄情報測定装置の構成の動作フローについて以下に述べる。なお、以下の説明では便宜上、本発明における第一の時刻、第二の時刻、余白時間を各々、Ｔ１、Ｔ２、Δｔ１〜Δｔ３とする。
【００４１】
Ｓ１０１で動作をスタートする。被験者はＳ１０２で排泄情報測定用のリモコン７２に計測開始指示手段７５として設けられた測定開始スイッチで測定開始操作を行う。排泄情報測定部５はＳ１０３で水位検出センサーの出力に基づいて溜水水位の計測を開始すると共に計測時刻の経時を開始し、計測された溜水水位変化から尿量や尿流率等の排泄情報の算出をＳ１０４で開始する。
【００４２】
Ｓ１０５は排尿開始を検出するステップであり、溜水水位測定手段５１を構成する水位検出センサーの出力が所定の値以上になると溜水への尿の排出があったと判定、即ち、排尿を検出する（Ｓ１０５：Ｙ）とＳ１０６で第一の時刻Ｔ１を排尿情報記憶手段６２に記憶する。このように所定の値を閾値として判断することによって溜水の振動等による誤判断を防止することができる。
【００４３】
排尿を検知した後、Ｓ１０７で被験者の便座への着座の有無を判断する。着座を検知した場合（Ｓ１０７：Ｙ）はＳ１０８でその計測時刻を排尿情報記憶手段６２に記憶し、着座を検知しない場合（Ｓ１０７：Ｎ）は何もしないで、Ｓ１０９の排尿終了判断まで計測を続ける。
【００４４】
Ｓ１０９は排尿終了を検出するステップであり、Ｓ１０５と同様に水位検出センサーの出力が所定の閾値以下になったことを検出すると排尿が終了した（Ｓ１０９：Ｙ）と判断する。
排尿が終了するとＳ１１０でその時の計測時刻を第二の時刻Ｔ２として排尿情報記憶手段６２に記憶する。
【００４５】
被験者がＳ１１１で測定終了操作を行うと、描画出力作成手段６３は排泄情報記録出力を行うため描画内容を作成するために描画時刻範囲を決定する処理に移る。即ち、描画開始時刻と描画終了時刻とを記憶されている第一の時刻Ｔ１、第二の時刻Ｔ２、及び所定の余白時間Δｔ１とΔｔ２とから演算して求めることによって、描画時刻範囲を決定する。ここでは、Ｓ１１２で描画開始時刻をＴ１−Δｔ１、Ｓ１１３で描画終了時刻をＴ２＋Δｔ２、と決定している。Ｓ１１４で決定した描画時刻範囲に基づいた所定の形式の出力グラフを描画出力として作成する。
【００４６】
ここで、Ｓ１０５からＳ１１３に続くフローは、着座せずに立位で排尿した（Ｓ１０７：Ｎ）、あるいは着座を検出する前に排尿が測定された（Ｓ１０７：Ｙ）場合であり、後者の場合は描画出力として作成される出力グラフに着座時刻Ｔｃが併記される。
【００４７】
作成された描画出力情報はＳ１１５で排泄情報記録出力手段７３よりロール状の紙に他の排泄情報記録と併せて出力され、Ｓ１１４で動作を終了する。  
【００４８】
Ｓ１０５で排尿が検出されない場合（Ｓ１０５：Ｎ）は、Ｓ１２１で着座有無を確認する。着座が検知されない場合は再びＳ１０５で排尿を検出する工程を実施する。着座を検出した場合（Ｓ１２１：Ｙ）は、Ｓ１２２で着座時刻Ｔｃが記憶される。Ｓ１２３は排尿開始を検出するステップであり、溜水水位測定手段５１を構成する水位検出センサーの出力が所定の値以上になると溜水への尿の排出があったと判定、即ち、排尿を検出すると（Ｓ１２３：Ｙ）、Ｓ１２４で第一の時刻Ｔ１を排尿情報記憶手段６２に記憶する。このように所定の値を閾値として判断することによって溜水の振動等による誤判断を防止することができる。Ｓ１２５は排尿終了を検出するステップであり、Ｓ１２３と同様に水位検出センサーの出力が所定の閾値以下になったことを検出する（Ｓ１２５：Ｙ）と排尿が終了したと判断する。排尿が終了するとＳ１２６でその時の計測時刻を第二の時刻Ｔ２として排尿情報記憶手段６２に記憶する。
【００４９】
被験者がＳ１２７で測定終了操作を行うと、描画出力作成手段６３は排泄情報記録出力を行うため描画内容を作成するために描画時刻範囲を決定する処理に移る。即ち、描画開始時刻と描画終了時刻とを記憶されている第一の時刻Ｔ１、第二の時刻Ｔ２、着座時刻Ｔｃ、及び所定の余白時間Δｔ１とΔｔ２とから演算して求めることによって、描画時刻範囲を決定する。
【００５０】
この流れの場合、被験者の着座を検出してから排尿開始が検出された場合であり、この着座から排尿開始までの経過時間は「ためらい時間」とも呼ばれて病態判断の重要な指標として取り扱われている。ところが、「ためらい時間」（以下では、この着座から排尿開始までの経過時間をこう呼ぶ）は個人差が大きいため、描画出力時刻範囲における排尿開始前の余白時間を前述したように一律にΔｔ１と設定すると、肝心な着座時刻Ｔｃが出力グラフ上に記載されないことが発生することになる。そのため本実施例では、この場合を想定して以下の処理を行っている。
【００５１】
即ち、Ｓ１２８でこの「ためらい時間」と所定の余白時間Δｔ１との長さの比較を行う。「ためらい時間」の方が所定の余白時間Δｔ１より長い場合（Ｓ１２８：Ｙ）は、Ｓ１２９で描画開始時刻を着座時刻Ｔｃ、Ｓ１３０で描画終了時刻をＴ２＋Δｔ２、として描画出力時刻範囲を決定する。その後の処理は前述したＳ１１４以下の処理を行う。
【００５２】
また、Ｓ１２８で「ためらい時間」の方が所定の余白時間Δｔ１より長くない場合（Ｓ１２８：Ｎ）は、着座時刻Ｔｃは余白時間Δｔ１の間に記載できるため、その後の処理は描画開始時刻をＴ１−Δｔ１とする前述したＳ１１２以下の処理を行う。
【００５３】
さらに、Ｓ１２３で排尿が検出されること無く（Ｓ１２３：Ｎ）、被験者が測定終了操作を行った場合（Ｓ１５０：Ｙ）は、排尿に関する検査を行おうとしたが排尿ができなかったケースであり、排泄情報記録出力を行うための描画開始時刻と描画終了時刻が記憶されていないため、排泄情報は出力されないで動作は終了する。
【００５４】
図４は本発明を実施した実施例における排泄情報測定装置のデータ描画時刻範囲を示す一覧表である。また図５から図７は各々のグラフ事例である。図４から図７を使用して、本実施例における排泄情報測定装置の描画動作について以下に述べる。
【００５５】
ケース１からケース３は、排尿開始を検出した第一の時刻Ｔ１と、排尿終了を検出した時刻Ｔ２が存在しているため、検査が実施できたことを示している。
【００５６】
ケース１は着座時刻Ｔｃが検出されていないため、立位で排尿されたことになり、この場合、経時的な排泄情報を示す測定結果グラフはＴ１−Δｔ１からＴ２＋Δｔ２の間で出力される。図５はケース１の出力事例である。右端に本発明の計測時刻として被験者が測定開始スイッチを押す測定動作開始時刻からの経過時間が計測時間として表示されているため、計測結果を表示する出力グラフの不要な白紙部分が省略されていることが判るだけでなく、測定動作を開始してから排尿を検出するまで３５秒かかった事例と判る。このようにすることによって、男性の前立腺肥大患者など排尿を意図した時から実際に排尿が開始されるまでに時間のかかる疾病の状態も容易に把握できるようになっている。  
【００５７】
ケース２は着座時刻Ｔｃが排尿開始を検出した第一の時刻Ｔ１より後のケースであり、この場合も経時的な排泄情報を示す測定結果グラフはＴ１−Δｔ１からＴ２＋Δｔ２の間で出力される。ケース２の場合は、女性の過活動膀胱や切迫性尿失禁など尿漏れが懸念される疾病が想定されるケースであり、図６はケース２の出力事例である。このように着座時刻Ｔｃが出力グラフに描画されているため、便座が着座を検出する前に排尿が始まっている状態が、排尿波形との関係で容易に判定できるようになってる。
【００５８】
ケース３は着座検出してから排尿が検出された一般的なケースであり、この場合、経時的な排泄情報を示す測定結果グラフは前述した通り、「ためらい時間」と所定の余白時間Δｔ１との長さの関係によってケース３−１とケース３−２とに出力形態は異なる。図７はケース３−１の出力事例であり、ＴｃからＴ２＋Δｔ２の間で出力されている。
【００５９】
図８は本発明を実施した実施例における排泄情報測定装置を示すシステムブロック図の別例である。図８を使用して、本実施例における排泄情報測定装置の構成の連係動作について以下に述べる。なお、本実施例は先に説明した実施例とは操作・表示部の構成が異なるだけで他の部分は同じであるため、先に説明した実施例と同じ構成のものは同じ符号を付して以下ではそれらの説明は省略し、異なる操作・表示部に関係する事項について主に説明する。
【００６０】
本発明は被験者が測定システムを動作することに不安がある場合に、出力されるデータが診療行為に対して適切な操作ができないケースを想定している。そのようなケースにおいて、操作・表示部は複数存在してもよい。図８においては、被験者が排泄を行うトイレにサブ操作・表示部９１を配置し、控え室やナースステーションに操作・表示部７０を配置している。被験者が自ら操作できる場合、トイレに設置された計測開始指示手段９２と計測終了指示手段９３を操作する。また、被験者に操作させることが難しいと医療関係者が判断した場合は、控え室やナースステーションから計測開始指示手段７５と計測終了指示手段７６を操作するようになっている。計測開始指示手段９２と計測終了指示手段９３の操作と、計測開始指示手段７５と計測終了指示手段７６の操作が干渉しないよう情報中継手段８０が排泄情報測定部５と各操作・表示手段の間に配置されており、医療関係者の操作を想定している操作・表示部７０が操作された場合、被験者操作を想定するサブ操作・表示部９１の操作は無効とされるようになっている。排泄情報記録出力手段７３と所定時間変更手段７８は医療関係者が必要とするものであるから、操作・表示部７０側に組み込まれている。
【００６１】
以上、本発明を実施した実施例として排尿情報の一つである尿量測定の例を説明したが、本発明の適用はこれに限らず、被験者の便器を使用した排泄行為に関係する情報で時間の経過と共に変化する排泄状態量の測定に関するものであれば、適用可能である。即ち、排泄状態量として、排尿の温度測定や大便の量測定、あるいは、排泄時に発生する排便ガスの量や成分濃度の測定にも適用可能である。
【図面の簡単な説明】
【００６２】
【図１】本発明を実施した実施例における排泄情報測定装置全体を示す斜視図である。
【図２】本発明を実施した実施例における排泄情報測定装置を示すシステムブロック図である。
【図３】本発明を実施した実施例における排泄情報測定装置を示すフローチャートである。
【図４】本発明を実施した実施例における排泄情報測定装置のデータ描画時間を示す一覧表である。
【図５】ケース１のグラフ事例である。
【図６】ケース２のグラフ事例である。
【図７】ケース３−１のグラフ事例である。
【図８】本発明を実施した実施例における排泄情報測定装置を示すシステムブロック図の別例である。
【符号の説明】
【００６３】
１…排泄情報測定装置
３…便器部
４…洋風大便器
５…排泄情報測定部
８…衛生洗浄装置
１０…装置給水手段
１１…分岐金具
１４…トラップ
１５…排水ソケット
１６…下水配管口
１７１…便座
１７２…背もたれ
１８…キャビネット
１８１…前板
１８２…側板
１８３…甲板
２０…ボウル
２３…溜水
３０…便器給水手段
３１…リム給水手段
３２…ゼット給水手段
４０…便器制御部
５０…尿量計測機構部
５１…溜水水位計測手段
５２…下水圧変動影響量測定手段
５３…溜水補水手段
６０…尿量計測制御部
６１…計測時刻記録手段
６２…排尿情報記憶手段
６３…描画出力作成手段
６４…排尿情報算出手段
７０…操作・表示部
７１…リモコン（便器部用）
７２…リモコン（排泄情報測定部用）
７３…プリンター（測定結果出力手段）
７５…計測開始指示手段
７６…計測終了指示手段
７８…余白時間変更手段
８１…着座検出手段
９０…情報中継手段
９１…サブ操作・表示部
９２…計測開始指示手段
９３…計測終了指示手段
【図１】
2010075455.tif 000003
【図２】
2010075455.tif 000004
【図３】
2010075455.tif 000005
【図４】
2010075455.tif 000006
【図５】
2010075455.tif 000007
【図６】
2010075455.tif 000008
【図７】
2010075455.tif 000009
【図８】
2010075455.tif 000010